(57)【要約】【課題】嵩高シートを円滑に取り出すことができながら、意図しない嵩高シートの飛び出しが防止される嵩高シート収納物品とする。【解決手段】取出し窓２を有する収納箱３内と、この収納箱３内に配列収納された複数の嵩高シートＴ，Ｔ…と、を備える。複数の嵩高シートＴ，Ｔ…を、それぞれ取出し窓２側から奥行き方向に延在するようにする。【選択図】図１
2005247391.tif 000002
【特許請求の範囲】
【請求項１】
取出し窓を有する収納箱内に、複数の嵩高シートが配列収納されている嵩高シート収納物品であって、
前記複数の嵩高シートが、それぞれ前記取出し窓側から奥行き方向に延在する、ことを特徴とする嵩高シート収納物品。
【請求項２】
取出し窓が柔軟性シートで塞がれ、この柔軟性シートに、嵩高シートの取出し窓側端縁と直交する方向に沿う取出しスリットが形成されている、請求項１記載の嵩高シート収納物品。
【請求項３】
複数の嵩高シートが、それぞれ折り畳まれ、この折り畳み縁が取出し窓側に位置する、請求項１又は請求項２記載の嵩高シート収納物品。
【請求項４】
収納箱が直方体状で、複数の嵩高シートの配列方向に関する収納率が、７０〜９８％とされている、請求項１〜３のいずれかに記載の嵩高シート収納物品。
【請求項５】
収納箱が直方体状で、複数の嵩高シートが、それぞれ収納箱たて方向内寸の０．９０〜１．００倍の幅とされた状態で収納されている、請求項１〜４のいずれかに記載の嵩高シート収納物品。
【請求項６】
複数の嵩高シートが、それぞれ奥行き方向に繊維が流れる状態で収納されている、請求項１〜５のいずれかに記載の嵩高シート収納物品。
【請求項７】
少なくとも使用時には直方体状とされ、取出し窓を有し、複数の嵩高シートが配列収納される嵩高シートの収納箱であって、
奥行き方向内寸がたて方向内寸の０．５０〜２．００倍とされ、
前記複数の嵩高シートが、それぞれ前記取出し窓側から奥行き方向に延在する状態で配列収納される、ことを特徴とする嵩高シートの収納箱。
【請求項８】
少なくとも使用時には直方体状とされ、取出し窓を有し、複数の嵩高シートが配列収納される嵩高シートの収納箱であって、
前記取出し窓のよこ方向の長さが、少なくとも前記収納箱のよこ方向内寸の０．５倍以上とされ、
前記複数の嵩高シートが、それぞれ前記取出し窓側から奥行き方向に延在する状態で配列収納される、ことを特徴とする嵩高シートの収納箱。
【発明の詳細な説明】
【技術分野】
【０００１】
本発明は、嵩高シート収納物品及び嵩高シートの収納箱に関するものである。
【背景技術】
【０００２】
化粧用、医療用等の衛生用コットン（カットコットン、コットンパフ、あるいはパフともいわれる。）や繊細品拭き掃除用シート、溶剤拭き取り用シートなどとして利用される嵩高シートは、ある程度の硬性を有するため、紙製の収納箱やフィルム製の収納袋に、例えば、５０〜１００枚程度が配列収納されて市販されている（特許文献１参照）。そして、使用に際しては、例えば、収納箱に収納されている場合であれば、取出し窓を開口し、この取出し窓と平行に配列収納されている嵩高シートを、上（取出し窓側）から順に取り出すようになっている。また、収納袋に収納されている場合であれば、この収納袋を適宜の位置で引き裂くなどして開封し、この開封場所に近い嵩高シートから順に取り出すようになっている。
【０００３】
しかしながら、これら嵩高シート収納物品には、次のような問題がある。
まず、嵩高シートを収納箱に取出し窓と平行に配列収納する場合は、嵩高シートを円滑に取り出すことができるよう取出し窓を嵩高シートの大きさと同等以上にしなければならないが、このように取出し窓を大きくすると、例えば、収納物品を落とした場合などに、嵩高シートが収納箱から飛び出してしまうとの問題が生じる。一方、嵩高シートを収納袋に配列収納する場合は、フィルム等からなる袋は、やわらかくすぐに変形してしまうので、嵩高シートを円滑に取り出すことができるようにするために、開封口をある程度大きくする必要があり、収納箱の場合と同様、収納物品を落とした場合などに、嵩高シートが袋から飛び出してしまうとの問題が生じる。
【特許文献１】特開平６−９９９７０号公報
【発明の開示】
【発明が解決しようとする課題】
【０００４】
本発明の主たる課題は、嵩高シートを円滑に取り出すことができながら、意図しない嵩高シートの飛び出しが防止された嵩高シート収納物品及び嵩高シートの収納箱を提供することにある。
【課題を解決するための手段】
【０００５】
上記課題を解決した本発明は、次のとおりである。
〔請求項１記載の発明〕
取出し窓を有する収納箱内に、複数の嵩高シートが配列収納されている嵩高シート収納物品であって、
前記複数の嵩高シートが、それぞれ前記取出し窓側から奥行き方向に延在する、ことを特徴とする嵩高シート収納物品。
【０００６】
〔請求項２記載の発明〕
取出し窓が柔軟性シートで塞がれ、この柔軟性シートに、嵩高シートの取出し窓側端縁と直交する方向に沿う取出しスリットが形成されている、請求項１記載の嵩高シート収納物品。
【０００７】
〔請求項３記載の発明〕
複数の嵩高シートが、それぞれ折り畳まれ、この折り畳み縁が取出し窓側に位置する、請求項１又は請求項２記載の嵩高シート収納物品。
【０００８】
〔請求項４記載の発明〕
収納箱が直方体状で、複数の嵩高シートの配列方向に関する収納率が、７０〜９８％とされている、請求項１〜３のいずれかに記載の嵩高シート収納物品。
【０００９】
〔請求項５記載の発明〕
収納箱が直方体状で、複数の嵩高シートが、それぞれ収納箱たて方向内寸の０．９０〜１．００倍の幅とされた状態で収納されている、請求項１〜４のいずれかに記載の嵩高シート収納物品。
【００１０】
〔請求項６記載の発明〕
複数の嵩高シートが、それぞれ奥行き方向に繊維が流れる状態で収納されている、請求項１〜５のいずれかに記載の嵩高シート収納物品。
【００１１】
〔請求項７記載の発明〕
少なくとも使用時には直方体状とされ、取出し窓を有し、複数の嵩高シートが配列収納される嵩高シートの収納箱であって、
奥行き方向内寸がたて方向内寸の０．５０〜２．００倍とされ、
前記複数の嵩高シートが、それぞれ前記取出し窓側から奥行き方向に延在する状態で配列収納される、ことを特徴とする嵩高シートの収納箱。
【００１２】
〔請求項８記載の発明〕
少なくとも使用時には直方体状とされ、取出し窓を有し、複数の嵩高シートが配列収納される嵩高シートの収納箱であって、
前記取出し窓のよこ方向の長さが、少なくとも前記収納箱のよこ方向内寸の０．５倍以上とされ、
前記複数の嵩高シートが、それぞれ前記取出し窓側から奥行き方向に延在する状態で配列収納される、ことを特徴とする嵩高シートの収納箱。
【発明の効果】
【００１３】
本発明によると、嵩高シートを円滑に取り出すことができながら、意図しない嵩高シートの飛び出しが防止される。
【発明を実施するための最良の形態】
【００１４】
以下、本発明の実施の形態を説明する。
図１に示すように、本嵩高シート収納物品１は、上面３Ａに取出し窓２が備えられた直方体状の収納箱３と、この収納箱３内に配列収納された複数の嵩高シートＴ，Ｔ…と、から主になる。そして、本収納物品１は、図４に平面模式図を、図５に断面模式図を示すように、複数の嵩高シートＴ，Ｔ…が、それぞれ取出し窓２側から奥行き方向に延在する、ことを特徴とする。
【００１５】
複数の嵩高シートＴ，Ｔ…が、それぞれ取出し窓２と平行に配列収納されていると、特に嵩高シートＴの残枚数が減った段階で、例えば、落とした場合などに、図６の（ａ）に示すように、嵩高シートＴが奥行き方向に斜めになって、取出し窓２から飛び出してしまうおそれがある。これに対し、複数の嵩高シートＴ，Ｔ…が、それぞれ取出し窓２側から奥行き方向に延在する状態で配列収納されていると、嵩高シートＴの残枚数が減った段階においても、図６の（ｂ）に示すように、嵩高シートＴの両側端部Ｔａ，Ｔａが、取出し窓２の周辺部に引っ掛かるため、嵩高シートＴが取出し窓２から飛び出してしまうおそれがほとんどない。また、この形態においては、嵩高シートＴを取出し窓２から人為的に引っ張ると、図６の（ｃ）に示すように、嵩高シートＴの両側端部Ｔａ，Ｔａが、中心側に折れ曲がるなどするするため、円滑に取り出すことができる。このように落下による衝撃程度では、嵩高シートＴの両側端部Ｔａ，Ｔａが、取出し窓２周辺部への引っ掛かりとなるのに対し、人為的に引っ張られると、嵩高シートＴの両側端部Ｔａ，Ｔａが、中心側に折れ曲がるなどして円滑に取り出すことができるという好ましい違いが生じるのは、嵩高シートがある程度の硬性を、つまり衝撃程度には対抗することができるが、人為的な力にはとうてい対抗することができない硬性を、有するという特性によるものである。
【００１６】
図５に断面模式図を、図７に平面模式図を示すように、取出し窓２は、その周辺部の内面に粘着されたポリエチレンシートなどからなる柔軟性シート９で塞ぎ、この柔軟性シート９に、嵩高シートＴの取出し窓２側端縁と直交する方向に沿う取出しスリット９ａを形成しておくとよい。この形態によると、嵩高シートＴのホールド性が増すとともに、収納箱３内への塵埃の入り込みが防止されるとの効果が得られ、しかもシート９は柔軟性を有するため、嵩高シートＴを円滑に取り出すことができるとの効果は損なわれない。
【００１７】
複数の嵩高シートＴ，Ｔ…は、本収納箱３内に、それぞれ一枚のシートを広げた状態で配列収納することもできるが、図５に示すように、それぞれを例えば２つに折り畳み、この折り畳み縁ＴＡが取出し窓２側に位置するように配列収納するのが好ましい。嵩高シートＴは、一般に、２層以上の積層構造とされているため、１枚のシートを広げた状態で配列収納しておくと、相互に隣接する嵩高シートＴ，Ｔの区別がつきにくく、誤って複数枚の嵩高シートＴを、一緒に取り出してしまうおそれがある。これに対し、嵩高シートＴを折り畳み、折り畳み縁ＴＡが取出し窓２側に位置するように配列収納しておくと、取り出しに際して、折り畳み縁ＴＡが目に触れることになるため、相互に隣接する嵩高シートＴ，Ｔの区別がつき易くなり、意図しない複数枚取り出しを防止することができるようになる。
【００１８】
複数の嵩高シートＴ，Ｔ…は、本実施の形態のように収納箱３を直方体状とする場合、配列方向に関する収納率を、７０〜９８％とするのが好ましい。収納率が７０％を下回ると、搬送過程などにおいて継続的に衝撃が加わった場合に、嵩高シートＴの延在方向（奥行き方向）が変化してしまうおそれがある。他方、収納率が９８％を超えると、相互に隣接する嵩高シートＴ，Ｔどうしの摩擦が大きくなりすぎるため、嵩高シートＴを円滑に取り出すことができず、あるいは意図せずに複数枚取り出されてしまうおそれがある。
【００１９】
なお、配列方向に関する収納率とは、図９に示すように、収納箱３のよこ方向内寸をＹ、複数の嵩高シートＴ，Ｔ…に配列方向に１０ｋｇ／ｃｍ2の圧力Ｐをかけた場合の配列方向に関する複数の嵩高シートＴ，Ｔ…の長さをＸとした場合における、Ｘ／Ｙ×１００（％）をいう。
【００２０】
複数の嵩高シートＴ，Ｔ…は、本実施の形態のように収納箱３を直方体状とする場合、それぞれ収納箱３のたて方向内寸の０．９０〜１．００倍の幅とされた状態で収納しておくのが好ましい。嵩高シートＴの幅が０．９０倍を下回ると、嵩高シートＴの収納箱３内における移動が大きくなるため、嵩高シートＴが収納箱３内面と擦れて、紙紛等が発生し易くなる。
【００２１】
他方、複数の嵩高シートＴ，Ｔ…は、それぞれ収納箱３の奥行き方向内寸の０．９５〜１．００倍の奥行きとされた状態で収納しておくのが好ましい。嵩高シートＴの奥行きが０．９５倍を下回ると、嵩高シートＴが収納箱３上面３Ａあるいは柔軟性シート９から受けるホールド性が弱まるため、特に残枚数が減った場合に、嵩高シートＴが倒れてしまうおそれがある。
【００２２】
複数の嵩高シートＴ，Ｔ…は、それぞれ奥行き方向に繊維が流れる状態で収納しておくのが好ましい。幅方向に繊維が流れる状態で収納しておくと、取り出しに際して、繊維に直交する方向に力が加わることになるため、特に収納率を高く設定した場合に、嵩高シートＴが破れるおそれがある。
【００２３】
ところで、組み立てなどにより、少なくとも使用時には収納箱３が直方体状となる場合は、収納箱３を、よこ方向内寸を１６０〜１７０ｍｍに、たて方向内寸を７０〜７５ｍｍに設計しておくのが好ましい。このように設計しておくと、現在多用されている幅７０ｍｍ、適宜折り畳まれるなどして厚さ２〜５ｍｍとされた嵩高シートを、最大６０枚、好ましくは５０枚収納することができる。複数の嵩高シートＴ，Ｔ…が、それぞれ取出し窓２と平行に配列収納される従来の形態の場合、複数の嵩高シートＴ，Ｔ…に配列方向に圧力をかけて収納しておくと、収納枚数は増えるものの、取出し窓２の開封時に、取出し窓２から嵩高シートＴが飛び出してしまうおそれがある。これに対し、本収納物品１の場合は、複数の嵩高シートＴ，Ｔ…が、それぞれ取出し窓側２から奥行き方向に延在する状態で配列収納されるため、取出し窓２の開封時においても、複数の嵩高シートＴ，Ｔ…が、配列方向に関して、収納箱３の両側面３Ｃ，３Ｃで挟まれ続けることになる。したがって、複数の嵩高シートＴ，Ｔ…を、圧力をかけて収納することができ、よこ方向内寸が１６０〜１７０ｍｍ、たて方向内寸が７０〜７５ｍｍという小さな収納箱３で、最大６０枚という多くの嵩高シートＴ，Ｔ…を収納することができる。なお、あまりに強く圧力をかけて収納すると、嵩高シートＴがつぶれてしまい好ましくないのは、当然である。また、以上は、当然、本発明を、よこ方向内寸１６０〜１７０ｍｍ、たて方向内寸７０〜７５ｍｍのもののみに限定する趣旨ではない。
【００２４】
収納箱３は、奥行き方向内寸をたて方向内寸の０．５０〜２．００倍とするのが好ましい。奥行き方向内寸がたて方向内寸の２．００倍を超えるように収納箱３を設計しても、これに適合する奥行きの嵩高シートＴを収納すれば、例えば、収納箱３を縦置きした場合に、嵩高シートＴが倒れやすくなり、他方、これに適合しない奥行きの短い嵩高シートＴを収納すれば、よりいっそう嵩高シートＴが倒れやすくなるという問題が生じてしまう。
【００２５】
ところで、本収納箱３の上面３Ａに備えられた取出し窓２は、嵩高シートＴ，Ｔ…を取り出す際に裂開する実質的に環状のミシン目１０で形成されている。このミシン目１０は、その形状が特に限定されるものではないが、本実施の形態では、その一部に、収納箱３のよこ方向に沿うように、直線状の起立端部１１が設けられている。この起立端部１１は、それぞれタイ部分とカット部分とが交互に繰り返される、実質的に平行な内側ミシン目１１ａと外側ミシン目１１ｂとからなる二重ミシン目とされている。また、ミシン目１０の起立端部１１以外の他の部分１２は、内側に長いカット部分１２ａ、外側に短いカット部分１２ｂが形成されたミシン目となっている。この他の部分１２は、カット部分とタイ部分とが線に沿って整列しない点で一般的なミシン目の概念から離れる場合も考えられるが、不整列であっても所定の直線状又は曲線状の仮想線上に沿ってタイ部分とカット部分とが交互に繰り返されるという意味において、本明細書では、ミシン目の概念で表現するものとする。
【００２６】
本収納箱３は、図２に示すように、起立端部１１を残して、ミシン目１０の他の部分１２を裂開すると、起立端部１１を軸線部とし他の部分１２を周縁とする開封蓋２Ａが形成され、取出し窓２が開閉自在の窓となる。この蓋タイプとした場合、起立端部１１は、直線状かつ二重ミシン目とされているため、起立端部１１が蝶番状の軸線部となる。したがって、開封蓋２Ａは、繰り返し開閉作業を行うに耐えうる開閉蓋となる。一方、本収納箱３は、図３に示すように、起立端部１１を含めたミシン目１０の全体を裂開することで（図３は、裂開途中の状態を示している。）、開封蓋２Ａが剥ぎ取られた、いわゆる剥離タイプとしても使用することもできる。
【００２７】
本形態では、開封蓋２Ａを、ほぼ方形（詳細には、一側が直線状で他側が太鼓腹形状をなした小判様である）としているが、これに限定する趣旨ではない。ただし、本実施の形態のように収納箱３が、少なくとも使用時には直方体状とされる場合は、取出し窓２のよこ方向の長さが、少なくとも収納箱３のよこ方向内寸の０．５倍以上となるように設計しておくのが好ましい。本形態は、前述したように複数の嵩高シートＴ，Ｔ…が、それぞれ取出し窓２側から奥行き方向に延在する状態で配列収納されており、取出し窓２のよこ方向の長さが、収納箱３のよこ方向内寸の０．５倍を下回ると、両側部（隅）の嵩高シートＴが取り出しにくくなる。
【００２８】
また、このように複数の嵩高シートＴ，Ｔ…が、それぞれ取出し窓２側から奥行き方向に延在する状態で配列収納されており、嵩高シートＴの両側端部Ｔａ，Ｔａが、取出し窓２の周辺部に引っ掛かるものの、嵩高シートＴを取出し窓２から人為的に引っ張ると、嵩高シートＴの両側端部Ｔａ，Ｔａが、中心側に折れ曲がるなどして円滑に取り出すことができるものである。したがって、例えば、取出し窓２のたて方向の長さが、収納箱３のたて方向内寸の０．８倍以上とするなどして、嵩高シートＴの両側端部Ｔａ，Ｔａが、中心側に折れ曲がったとしても、取出し窓２の周辺部に引っ掛かり、円滑に取り出せなくなるとの問題を避けるとよい。
【００２９】
図１に示すように、開封蓋２Ａの起立端部１１に対向する対向部と、一方又は双方の側部には、押圧によって指穴が形成される指穴用ミシン目（３Ｘ，３Ｙ）が形成されている。一方側部の指穴用ミシン目で囲繞された部位３Ｙに、指先を押し込み、切り残し部分の根元を引っ掛け、よこ方向反対側端部にかけて引き上げることにより、開封蓋２Ａを、収納箱３から剥ぎ取ることができる。また、対向部の指穴用ミシン目で囲繞された部位３Ｘに、指先を押し込み、切り残し部分の根元を引っ掛け、起立端部１１側に向けて引き上げることにより、開封蓋２Ａを、起立端部１１を軸線部とした開閉蓋２Ａとすることができる。
【００３０】
対向部の指穴用ミシン目（３Ｘ）は、環状としないのが好ましい。これは、環状とすると、指を押し込んだときに、指穴用ミシン目で囲繞された部位３Ｘが、開封蓋２から剥離されるため、開封蓋２の蓋としての封止機能が完全には果たされなくなるためである。また、対向部の指穴用ミシン目（３Ｘ）は、起立端部１１に対向する対向辺部のミシン目１０（本実施の形態では、内側ミシン目１２ａ。）から連続して中心側に向かうようにするのが好ましい。この形態とすると、指穴用ミシン目（３Ｘ）の一部が対向辺部のミシン目１２ａで構成されることになるので、指を押し込み、指穴を形成すると、これと同時に対向辺部のミシン目１２ａの一部が裂開されることになるので、その後の開封蓋２Ａの引き上げが容易になる。
【００３１】
〔その他〕
（１）本明細書においては、図１に示すように、収納箱３の長手方向をよこ方向と、収納箱３の幅方向をたて方向と、収納箱３の深さ方向を奥行き方向と表現している。ただし、本収納物品１ないし収納箱３は、平面視長方形状のものに限られず、例えば、図８に示すように、平面視正方形状のものも含まれるので、必ずしもよこ方向が長手方向とはならない。平面視正方形状のものを表現する場合は、嵩高シートＴ，Ｔ…に直交する方向をよこ方向と表現する。
【００３２】
なお、嵩高シートＴ，Ｔ…は、収納箱３のたて方向に沿う方向を幅方向と、収納箱３の奥行き方向に沿う方向を奥行き方向と表現している。
【００３３】
（２）収納物品１は、通常、取出し窓２を上にして使用することが予想されるため、本明細書においては、取出し窓２が備えられる面を上面３Ａと表現した。ただし、本収納物品１は、取出し窓２を上にした使用に限定されるものではなく、例えば、取出し窓２を横にして使用（縦置き）することもできる。使用形態に応じて、使いやすい状態に置くことができる。
【産業上の利用可能性】
【００３４】
本発明は、化粧用、医療用等の衛生用コットンや繊細品拭き掃除用シート、溶剤拭き取り用シートなどの収納物品として、適用することができる。
【図面の簡単な説明】
【００３５】
【図１】収納物品の斜視図である。
【図２】収納物品の蓋タイプとしての使用例である。
【図３】収納物品の剥離タイプとしての使用例である。
【図４】収納物品の平面模式図である。
【図５】収納物品の断面模式図である。
【図６】嵩高シートの収納状態の説明図である。
【図７】収納物品の変形例である。
【図８】収納物品の変形例である。
【図９】収納率の説明図である。
【符号の説明】
【００３６】
１…収納物品、２…取出し窓、３…収納箱、９…柔軟性シート、９ａ…取出しスリット、Ｔ…嵩高シート、ＴＡ…折り畳み縁。
【図１】
2005247391.tif 000003
【図２】
2005247391.tif 000004
【図３】
2005247391.tif 000005
【図４】
2005247391.tif 000006
【図５】
2005247391.tif 000007
【図６】
2005247391.tif 000008
【図７】
2005247391.tif 000009
【図８】
2005247391.tif 000010
【図９】
2005247391.tif 000011